(57)【要約】  前部領域(２)、後部領域(３)、および前部領域と後部領域との間の股部領域(４)を具備してなるパンツ型吸収用品であって、前部および後部領域は、側方接合領域(１０)を形成するために本用品の二つの対向する側縁部(２ａ,３ａ)に沿って互いに接合されている。本用品はさらに、それを使用した後の簡便な廃棄および／または使用中に開けた場合の用品の再封止を実現する形態で用品を固定することを可能とするために、前部領域および後部領域の少なくとも一方に対して接合された少なくとも一つの止着手段(１２)を具備してなる。止着手段(１２)は上記側方接合領域(１０)内に配置されており、かつそれは本用品の通常使用時には後部領域および前部領域の接合された側縁部間に隠され、そしてそれは側方接合領域の少なくとも一部を破いて開いた際に露出させられる。
2008525148.tif 000002
【特許請求の範囲】
【請求項１】
パンツ型おむつ、衛生パンツあるいは失禁症用パンツのようなパンツ型吸収用品であって、
前記用品は、前部領域(２)と、後部領域(３)と、前記前部領域と前記後部領域との間の股部領域(４)と、を具備してなり、
吸収コア(７)が少なくとも前記股部領域に配置されており、
前記前部領域と前記後部領域とは、前記用品の二つの対向する側縁部(２ａ,２ｂ)に沿って互いに接合されて、ウエスト用開口部(８)および一対の脚用開口部(９)が形成されており、
前記前部領域と前記後部領域とは、側方接合領域(１０)を形成するよう前記側縁部に沿って接合されており、
前記用品はさらに、前記用品を使用した後に簡便に廃棄できる形態で前記用品を固定することを可能とするために、前記前部領域および前記後部領域の少なくとも一方に接合される少なくとも一つの止着手段(１２)を具備してなり、
前記用品は縦方向(Ｙ)および横方向(Ｘ)を有しており、
前記止着手段(１２)は前記側方接合領域(１０)に配置されており、かつ前記止着手段(１２)は、前記用品の通常使用時には、前記後部領域および前記前部領域の前記接合された側縁部間に隠されており、かつ前記止着手段(１２)は、前記側方接合領域の少なくとも一部を破いて開くときに露出させられるようになっていることを特徴とするパンツ型吸収用品。
【請求項２】
前記側方接合領域(１０)は前記止着手段(１２)の外側の領域を具備してなり、この領域において前記前部領域(２)および前記後部領域(３)は、接着剤、超音波溶着、熱封止などによって互いに接合されており、かつ前記止着手段(１２)と重なり合う前記側方接合領域(１０)の他の領域において前記前部領域および前記後部領域は、前記止着手段と重なり合う前記側方接合領域における前記材料層と協働する前記止着手段によってもたらされる、起こり得る止着作用を除いて、実質的に互いに取り付けられていないことを特徴とする請求項１に記載の吸収用品。
【請求項３】
前記側方接合領域(１０)は、前記ウエスト用開口部(８)および／または前記脚用開口部(９)に隣接する、前記側方接合領域の長手方向(Ｙ)に見たときに前記止着手段(１２)の外側にある少なくとも一つの継ぎ目領域(１５,１６)を具備してなり、前記前部領域(２)および前記後部領域(３)は、前記側方接合領域(１０)を破いて開くときに、前記少なくとも一つの継ぎ目領域(１５,１６)における材料層の分離が生じるのではなく、前記少なくとも一つの継ぎ目領域(１５,１６)に沿って前記前部領域(２)の材料および／または前記後部領域(３)の材料が裂けるような強い接合強度で互いに接合されていることを特徴とする請求項２に記載の吸収用品。
【請求項４】
前記少なくとも一つの継ぎ目領域(１５,１６)は引裂き目印を形成する、丸みが付与されるかあるいは角が取られた内側縁部(１５ａ,１６ａ)を有し、前記側方接合領域(１０)を破いて開く際に、この引裂き目印に沿って、前記前部領域(２)および／または前記後部領域(３)の材料層が裂けるようになっていることを特徴とする請求項３に記載の吸収用品。
【請求項５】
前記少なくとも一つの継ぎ目領域(１５,１６)は、前記丸みが付与されるかあるいは角が取られた縁部(１５ａ,１６ａ)の周縁に沿って、材料低強度化部分(１５ｂ,１６ｂ)を備えることを特徴とする請求項４に記載の吸収用品。
【請求項６】
前記側方接合領域(１０)は少なくとも二つの継ぎ目領域(１５,１６)を具備してなり、この領域にて前記前部領域(２)および前記後部領域(３)は互いに接合されており、前記継ぎ目領域は、前記ウエスト用開口部(８)および個々の脚用開口部(９)に隣接する前記側方接合領域の長手方向(Ｙ)に見たとき前記側方接合領域(１０)の両端に配置されており、前記止着手段(１２)は、前記少なくとも二つの継ぎ目領域(１５,１６)間に配置されていることを特徴とする請求項２ないし請求項５のいずれか１項に記載の吸収用品。
【請求項７】
前記止着手段(１２)と、個々の前記継ぎ目領域(１５,１６)との間には、少なくとも１ｍｍの間隙が存在することを特徴とする請求項２ないし請求項６のいずれか１項に記載の吸収用品。
【請求項８】
前記側方接合領域(１０)は、着用者の方を向くその側に、前記止着手段(１２)の内側に配置された、さらなる継ぎ目領域(１４)を具備してなることを特徴とする請求項２ないし請求項７のいずれか１項に記載の吸収用品。
【請求項９】
前記さらなる継ぎ目領域(１４)は、前記側方接合領域を破いて開いた際に前記前部および後部領域(２,３)が互いに分離するような弱い接合効果を発揮するものであることを特徴とする請求項８に記載の吸収用品。
【請求項１０】
前記側方接合領域(１０)は、パンツ型おむつのヒップ領域に幅狭な開口部を形成するよう、着用者に面するその側で、前記止着手段(１２)の内側に幅広中央領域(１７)を有することを特徴とする請求項１ないし請求項９のいずれか１項に記載の吸収用品。
【請求項１１】
前記前部領域(２)と前記後部領域(３)とは、前記側方接合領域を破いて開いた際に前記前部および後部領域(２,３)が互いに分離し、これによって前記止着手段(１２)が露出させられるような低い接合強度で、前記側方接合領域(１０)において互いに接合されていることを特徴とする請求項１、請求項２、請求項６ないし請求項１０のいずれか１項に記載の吸収用品。
【発明の詳細な説明】
【技術分野】
【０００１】
本発明は、パンツ型おむつ、衛生パンツあるいは失禁症者用パンツのようなパンツ型吸収用品に関し、このものは、前部領域と、後部領域と、前部領域と後部領域との間の股部領域とを具備してなり、吸収コアが少なくとも股部領域に配置されており、前部領域と後部領域とは用品の二つの対向する側縁部に沿って互いに接合されて、ウエスト用開口部および一対の脚用開口部が形成されており、前部領域と後部領域とは側方接合領域を形成するよう側縁部に沿って接合されており、本用品はさらに、それを使用した後に簡便に廃棄できる形態で用品を固定することを可能とするために、前部領域および後部領域の少なくとも一方に接合された少なくとも一つの止着手段を具備している。
【背景技術】
【０００２】
パンツ型おむつ、衛生パンツあるいは失禁症者用パンツのようなパンツ型吸収用品は着用者のヒップの上に引き上げることができ、これによって着用者あるいは介護者が用品を容易に装着する(装着させる)ことが可能となる。こうしたパンツ型おむつは、接着、超音波溶着などによって前部領域および後部領域を一つに接合する側方接合領域を有する。弛みや、ずり落ちを伴わずに着用者のウエストおよび脚の周りにフィットするように、そしてパンツ型おむつを着用者のヒップの上に簡単に引き上げることができるようにするために、ウエスト領域の少なくとも一部、脚用開口部領域および側方接合領域に隣接する側方領域には伸縮性が付与される。この伸縮性の付与は、たいてい、背面シートと表面シートとの間に収縮可能に取り付けられた、たとえば弾性糸のような弾性部材によって実現される。さらに、吸収用品の基体の一部を、たとえばストレッチ接着ラミネートのような弾性材料から形成することも公知である。
【０００３】
パンツ型おむつが汚れると、通常は、側方接合領域を破いて開くことによって、それは着用者から外される。外されたパンツ型おむつは続いて折り込まれるかあるいは巻き上げられ、これによって汚れた部分が処分のために内側に閉じ込められる。汚れたパンツ型おむつが広がるのを阻止し、そして汚れた部分を内側に閉じ込めておくために、いわゆる廃棄処理手段(これはテープタブまたはフック部材のような止着手段である)が、おむつの折り込まれた状態または巻き上げられた状態を保つために配置されるのが望ましい。通常、廃棄処理手段は止着手段(たとえば接着または機械的止着手段)の帯片であり、しかもそれは前部あるいは後部ウエスト領域にておむつに固定された一端部を有すると共に折り畳まれており、この結果、通常使用時には接着あるいは機械的止着手段は非露出状態とさせられる。帯片は、それを廃棄処理手段として使用したいときに止着手段が露出するように広げることができる。
【０００４】
引用文献１には、その側縁部近傍に配置されたテープ片の形態の廃棄処理手段を有するパンツ型おむつが開示されている。各テープ片は二つの部分からなり、すなわち第１の部分は側縁部と平行に長手方向に延在しており、そして第２の部分は第１の部分の所定の領域からおむつの長手方向または横方向に延在している。廃棄処理手段は、ウエストまたは脚用開口部からの漏れを伴わずに廃棄処理するために、巻き上げた状態で、おむつを保持するのに適したものであると説明されている。
【０００５】
引用文献２にも、その側縁部近傍に配置されたテープ片の形態の廃棄処理手段を有するパンツ型おむつが開示されている。各テープ片は個々の側縁部と平行に長手方向に延在しており、しかもウエスト用開口部および脚用開口部それぞれの近傍でおむつに接合されたその対向端部を有する。テープ片の中央領域は、廃棄処理のために巻き上げられたおむつの外周面に対して分離可能に接合されるようになされた接着領域を有する。廃棄処理手段は、ウエストまたは脚用開口部からの漏れを伴わずに廃棄処理するために、巻き上げた状態で、おむつを保持するのに適したものであると説明されている。
【０００６】
引用文献３には、オーバーラップ様式で互いに接合された弾性的に引き伸ばすことができる側面材を有するパンツ型おむつが開示されている。引き裂き開放タブが側面材から横方向外側に延在しており、かつ廃棄処理手段が引き裂き開放タブに設けられている。
【特許文献１】欧州特許出願公開第1 121 917号明細書(EP-A-1 121 917)
【特許文献２】欧州特許出願公開第1 121 918号明細書(EP-A-1 121 918)
【特許文献３】国際公開第98/53780号パンフレット(WO98/53780)
【発明の開示】
【発明が解決しようとする課題】
【０００７】
これら従来公知の廃棄処理手段は全て、廃棄のためにパンツ型おむつを取り外す前に使用者または介護者によって開かれてしまうことがあり、誤って除去されてしまうことさえある。廃棄処理手段はさらに、おむつが衣類と擦れることで開いてしまうことがあり、その場合には衣類に張り付くことがある。
【課題を解決するための手段】
【０００８】
本発明の一つの目的は、使用後におむつを廃棄する準備ができる前に誤って開かれてしまう(露出させられてしまう)ことのない廃棄処理手段を有するパンツ型吸収用品を提供することである。本発明によれば、上述したタイプのパンツ型吸収用品が提供され、このものでは、用品の廃棄処理のために使用される止着手段は側方接合領域内に配置され、かつそれは用品の通常の使用時には後部領域および前部領域の接合された側縁部間に隠され、かつそれは側方接合領域の少なくとも一部を破いて開いた際には露出させられる。
【０００９】
ある実施形態によれば、上記側方接合領域は、止着手段の外側の領域を具備してなり、この領域において前部領域および後部領域は、接着剤、超音波溶着、熱封止などによって互いに接合されており、かつ止着手段と重なり合う側方接合領域の他の領域において前部領域および後部領域は、止着手段と重なり合う側方接合領域における材料層と協働する止着手段によってもたらされる、起こり得る止着作用を除いて実質的に互いに取り付けられていない。
【００１０】
本発明の一態様によれば、上記側方接合領域は、ウエスト用開口部および脚用開口部に隣接する、側方接合領域の長手方向に見たときに止着手段の外側にある少なくとも一つの継ぎ目領域を具備してなり、前部領域および後部領域は、側方接合領域を破いて開くときに、側方接合領域における材料層の分離が生じるのではなく、少なくとも一つの継ぎ目領域に沿って前部領域の材料および／または後部領域の材料が裂けるような強い接合作用で互いに接合されている。
【００１１】
さらなる実施形態においては、少なくとも一つの継ぎ目領域は、引裂き目印を形成する、丸みを帯びたすなわち角が取られた内側縁部を有するが、この引裂き目印に沿って、前部領域および／または後部領域の材料層は、上記側方接合領域を破いて開いた際に破断する。
【００１２】
さらなる実施形態によれば、上記少なくとも一つの継ぎ目領域は、上記の丸みを帯びたすなわち角が取られた縁部の周縁に沿って穿孔される。
【００１３】
本発明のさらなる態様によれば、上記側方接合領域は少なくとも二つの継ぎ目領域を具備してなり、ここで前部領域および後部領域は互いに接合され、この継ぎ目領域はウエスト用開口部および個々の脚用開口部に隣接して側方接合領域の両端に配置され、上記止着手段は上記少なくとも二つの継ぎ目領域間に配置される。
【００１４】
止着手段と個々の継ぎ目領域との間には、少なくとも１ｍｍの間隙が存在することが好ましい。
【００１５】
本発明のある態様では、上記側方接合領域は、着用者に面するその側に、上記止着手段の内側に配置された、さらなる継ぎ目領域を具備してなる。
【００１６】
ある実施形態によれば、上記さらなる継ぎ目領域は、このさらなる継ぎ目領域を破いて開ける際に前部領域および後部領域が互いに分離するような弱い接合効果を発揮する。
【００１７】
本発明のある態様においては、側方接合領域は、着用者に面する側で、止着手段の内側に、拡幅された中央領域を有し、これによってパンツ型おむつのヒップ領域に幅狭な開口部が形成されるようになっている。
【００１８】
さらなる実施形態によれば、前部および後部領域は、側方接合領域を破いて開いた際に前部および後部領域が互いに分離し、これによって止着手段が露出させられるような低い接合強度で、側方接合領域において互いに接合される。
【発明を実施するための最良の形態】
【００１９】
以下、図示するいくつかの実施形態を参照して、本発明について、より詳しく説明する。
【００２０】
[吸収用品およびパンツ型吸収用品]
「吸収用品」との用語は、着用者の肌に接して配置され、尿、ふん便および月経液のような身体滲出物を吸収しかつ保持する製品を意味する。本発明は主として使い捨て式吸収用品に関係し、これは、使用後に洗濯されたり、さもなければ吸収用品として使える状態に戻すか、あるいは再利用したりすることを意図していない用品を意味する。本発明によればパンツ型吸収用品とは、範囲が画定されたウエスト用開口部および一対の脚用開口部を有し、かつ脚を脚用開口部に入れてウエスト上に用品を引き上げることによって着用者の身体に引っ張って装着させられるものを意味する。そうしたパンツ型吸収用品の例は、パンツ型おむつ、衛生パンツおよび失禁症の成人が着用する失禁症者用パンツである。以下では、本用品をパンツ型おむつと呼ぶ。
【００２１】
[表面シート]
「表面シート」との用語は、吸収用品の内側カバーを形成する液体透過性材料シートを意味し、それは使用時には着用者の肌と直に接した状態に置かれる。この表面シートは不織布材(たとえばスパンボンド、メルトブローン、毛羽立て、水中絡み合い(hydroentangled)、湿式積層(wetlaid)など)から形成できる。適当な不織布材は、木材パルプまたはコットン繊維のような天然繊維から、ポリエステル、ポリエチレン、ポリプロピレン、ビスコースなどのような人工繊維から、あるいは天然繊維と人工繊維の混合物から形成できる。表面シート材はさらにトウ繊維から形成されてもよく、このトウ繊維は、たとえば欧州特許出願公開第1 035 818号明細書(EP-A-1 035 818)に開示されるように、ある接合パターンで互いに接合できる。表面シート材のさらなる例は、多孔質フォーム、穿孔プラスチックフィルムなどである。表面シート材に適した素材は、柔軟でかつ肌を刺激せず、しかも体液、たとえば尿または月経液が容易に浸透するようになされたものであるべきである。表面シートはさらに、吸収用品の別の部分においては異なっていてもよい。
【００２２】
[背面シート]
背面シートとの用語は、少なくともそのコア領域において、吸収用品の外側カバーを形成する液体不透過性材料を意味する。この背面シートは、薄いプラスチックフィルム(例としてポリエチレンあるいはポリプロピレンフィルム)、液体不透過性物質で覆われた不織布材、疎水性の不織布材(これは液体の浸透に抗する)、あるいはプラスチックフィルムおよび不織布材からなるラミネート(積層体)からなっていてもよい。背面シート材は通気性を有していてもよく、これによって吸収コアから蒸気を逃がすことが可能となり、その一方で液体がそれを通過するのは依然として阻止される。通気性を有する背面シート材の例としては、多孔質高分子フィルム、スパンボンドおよびメルトブローン層からなる不織布ラミネート、多孔質高分子フィルムおよび不織布材からなるラミネートが挙げられる。
【００２３】
[吸収コア]
「吸収コア」は吸収用品の二つのカバー間に配置される吸収構造体である。吸収コアは従来型のものであってもよい。普通に見られる吸収材の例は、セルロース綿毛状パルプ、ティッシュ層、高吸収ポリマー(いわゆる超吸収材)、吸収フォーム材、吸収不織布材などである。セルロース綿毛状パルプと超吸収材とを吸収体内で組み合わせることも一般的である。超吸収ポリマーは、０.９重量％の塩化ナトリウムを含む水溶液中で、自身の重量の少なくとも約２０倍を吸収できる水分膨潤可能な、不水溶性の有機または無機物質である。超吸収材としての使用に適した有機物質としては、合成ヒドロゲルポリマーのような合成原料と共に、多糖類、ポリペプチドなどの天然原料が挙げられる。そうしたヒドロゲルポリマーとしては、たとえば、ポリアクリル酸、ポリアクリルアミド、ポリビニルアルコール、ポリアクリレート、ポリアクリルアミド、ポリビニルピリジンなどのアルカリ金属塩が挙げられる。他の好適なポリマーとしては、加水分解アクリロニトリルグラフト澱粉、アクリル酸グラフト澱粉、イソブチレン無水マレイン酸共重合体およびその混合物が挙げられる。ヒドロゲルポリマーは好ましくは軽度に架橋されており、これによって素材は実質的に不水溶性を呈するようになっている。好ましい超吸収材はさらに表層架橋されており、この結果、超吸収粒子、繊維、フレーク、球体などの外面すなわち殻は、超吸収体の内側部分よりも高い架橋密度を有するようになる。超吸収材は、粒子、繊維、フレーク、球体などを含む吸収混合物において使用するのに適した、いかなる形態であってもよい。
【００２４】
高い吸収性能は、大量の超吸収材を使用することによって実現される。親水性繊維(たとえばセルロース繊維)のマトリックスと超吸収材とを具備してなる吸収コアに関しては、超吸収材の比率は好ましくは重量で１０ないし９０％、より好ましくは重量で３０ないし７０％である。
【００２５】
液体受け入れ性能、液体分散性能および貯蔵性能に関して異なる特性を有する層を具備してなる吸収コアを持つことは、吸収用品において一般的に行われている。薄い吸収体(これはたとえば幼児用おむつおよび失禁症者用ガードにおいては一般的なものである)は、しばしば、セルロース綿毛パルプおよび超吸収ポリマーからなる圧縮混合構造あるいは層状構造を具備してなる。吸収コアのサイズおよび吸収性能は、異なる用途に、たとえば幼児あるいは成人失禁者に適応するよう変更可能である。
【００２６】
吸収コアはさらに、主吸収体の表面上に配された収得物分散層を含んでいてもよく、それは、収得物が主吸収コアによって吸収される前に放出液体を素早く受け入れそしてそれを一時的に蓄えるよう構成されている。そうした収得物分散層は従来公知であり、多孔質繊維詰め物あるいはフォーム素材から形成できる。
【００２７】
[前部領域]
パンツ型吸収用品の前部領域は、使用時に着用者の胃および前方ヒップ領域の上に広がるよう意図された用品の一部分として規定される。
【００２８】
[後部領域]
パンツ型吸収用品の後部領域は、使用時に着用者の背中および後方ヒップ領域の上に広がるよう意図された用品の一部分として規定される。
【００２９】
[股部領域]
パンツ型吸収用品の股部領域は、使用時に、脚間で、着用者の股部領域のすみずみまで広がるよう意図された用品の一部分として規定される。
【００３０】
[側方接合領域]
「側方接合領域」との用語は、本明細書で用いているように、側方継ぎ目を形成するために前部領域および後部領域の横方向側縁部が互いに接合される領域を意味するが、この状態では、本用品は、範囲が画定されたウエスト用開口部および二つの脚用開口部を有するパンツに似た形状を呈する。
【００３１】
[廃棄処理手段]
「廃棄処理手段」との用語は、接着テープの帯片あるいはフック部材の形態の機械的止着手段のような止着手段を意味するが、これは、おむつの廃棄後に、その折り込まれた状態または巻き上げられた状態を保つために配置される。
【００３２】
[好ましい実施形態の説明]
図示するパンツ型おむつ１は、通常、前部領域２と、後部領域３と、この前部領域と後部領域との間に配置された股部領域４とを具備してなる。その最も一般的な形態では、パンツ型おむつは、液体透過性表面シート５と、液体不透過性背面シート６と、表面シートと背面シートとの間に配置された吸収コア７とを具備してなる。パンツ型おむつは、吸収パンツのように着用者の胴体の下部を取り囲むためのものである。もしコアパッケージが前部および後部領域に接合されるならば、あるいはそうされる場合には、前部領域２および後部領域３は、股部領域とは異なる材料組成を有していてもよい。
【００３３】
前部領域２および後部領域３は、その二つの対向する側縁部２ａおよび３ａに沿って互いに接合され、ウエスト用開口部８および一対の脚用開口部９を形成している。前部領域２および後部領域３は、上記側縁部２ａおよび３ａに沿って、たとえば接着剤、超音波溶着、熱封止などによって接合され、側方接合領域１０を形成している。前部領域２および後部領域３は、図面に示すように、その側縁部２ａおよび３ａに沿って、側方継ぎ目において、内側を向く表面シートを用いて接合できる。あるいは、それらは、対向領域の背面シートに面する前部または後部領域のいずれかの表面シートを用いて、重なり合う状態で接合される。
【００３４】
代替形態では、パンツ型おむつは、上述したような、コアパッケージ、液体透過性表面シートおよび液体不透過性背面シートを有するコア領域と、このコア領域の外側の基体領域とを具備してなる。ここで、基体領域は、柔らかで快適な材料、たとえば弾性ラミネートからなる被覆シートを具備してなり、それに対してコアパッケージが接合される。
【００３５】
ウエスト部領域、脚用開口部領域の少なくとも一部、そして側方接合領域１０に隣接する側方領域には伸縮性が付与される。伸縮性の付与は、通常、背面シート６と表面シート５との間に収縮可能に取り付けられた、弾性糸１１のような複数の弾性部材によって実現される。あるいは弾性ラミネートのような弾性材料を、伸縮性が必要な上記領域において、基体を形成するために使用できる。
【００３６】
本用品は、長手方向Ｙと横方向Ｘとを有する。
【００３７】
側方接合領域１０の一方または両方に隠れた状態で、廃棄処理手段として機能する止着手段１２が設けられている。止着手段１２は接着テープ片、あるいは、この止着手段１２用の止着面を形成する背面シート３と相互作用するようになされたフック材料片であってもよい。背面シートの外面がプラスチックフィルムである場合には接着テープ片が廃棄処理手段として使用され、一方、背面シートの外面が繊維状不織布材である場合には廃棄処理手段１２はフック材であり、繊維状不織布材は、廃棄処理手段のフックと相互作用するループ材として機能する。廃棄処理手段の止着面と密着状態にある側方接合領域の材料層は、二つの面間に、少なくともある程度、弱い接合効果をもたらすために、廃棄処理手段と相互作用することが好ましい。
【００３８】
廃棄処理手段の適切な寸法は、Ｙ方向の長さに関して１.５〜５ｃｍ、好ましくは２〜４ｃｍであり、Ｘ方向の幅に関して０.５〜２.５ｃｍ、好ましくは０.７〜１.５ｃｍである。
【００３９】
図１は、複数のパンツ型おむつ１を形成するための複合材料ウェブの概略平面図である。脚用開口部９を形成するために、このウェブには孔が開けられている。廃棄処理手段１２は、二つの隣接するパンツ型おむつブランク間の意図された分離ライン１３を跨いで、その前部または後部領域に、接着剤、超音波溶着、熱封止などによって取り付けられている。パンツ型おむつは、分離ライン１３に沿って切断することによって形成されるが、このラインにて各廃棄処理手段１２は二つの半体へと分離させられ、そのそれぞれがパンツ型おむつ用の廃棄処理手段を形成する。前部領域の側縁部２ａは、続いて、上述した様式で後部領域の側縁部３ａに対して接合され、側方接合領域１０(廃棄処理手段１２はこの中に隠される)を形成する。
【００４０】
図２および図３に示す実施形態では、各側方接合領域１０は、接着剤、超音波溶着、熱封止などによって形成された三つの継ぎ目領域１４,１５および１６から形成される。第１の継ぎ目領域１４は、少なくとも廃棄処理手段１２のかなりの長さに沿って、この廃棄処理手段１２の内側で延在し、そして側方接合領域を破いて開く際に継ぎ目が分離するように相対的に強度が低くなっている。この第１の継ぎ目領域１４の一つの重要な機能は、着用者の皮膚に廃棄処理手段が直に接触し、それによって擦過傷が生じるのを防止することである。
【００４１】
第２および第３の継ぎ目領域１５および１６は、側方接合領域１０の外側コーナーに、ウエスト用開口部８および個々の脚用開口部９に隣接して配置されている。これら継ぎ目領域１５および１６は相対的に強度が高く、しかもパンツ型おむつの通常使用時に分離しない程度の十分な強度を有する。これはまた、通常、それが側方接合領域を破いて開く際に側方接合領域の当該部分における材料層の分離が生じないほど丈夫であるが、前部領域２または後部領域３のいずれかを形成する一方または両方の材料が、その代わりに、個々の継ぎ目領域１５および１６の内側縁部１５ａおよび１６ａに沿って破れることを意味する。これは図３に示すとおりであるが、ここで、側方接合領域で前部領域５の材料は、縁部１５ａおよび１６ａに沿って引き裂かれており、そして前部継ぎ目領域１５および１６は、個々の後部継ぎ目領域１５および１６に取り付けられたままとなっている。
【００４２】
第２および第３の継ぎ目領域１５および１６の内側縁部１５ａおよび１６ａは好ましくは丸められるかあるいは角が取られており、この結果、それらは引裂き目印を形成しており、これに沿って引裂き時に側方継ぎ目が破れる。好ましくは、継ぎ目領域１５および１６と、廃棄処理手段１２との間には小さな間隙を、好ましくは少なくとも１ｍｍの間隙を設けるべきである。継ぎ目領域１５および１６は廃棄処理手段１２を越えて延在していないことが重要である。これによって確実に側方接合領域１０を制御された様式で破いて開くことが可能となり、そして廃棄処理手段の上面上のおよびその下の材料層が裂けることが回避される。廃棄処理手段１２は、これによって露出させられ、意図したとおりに機能できる。廃棄処理手段１２のさらなる役割は、意図せずにあるいはパンツ型おむつを交換する必要があるか否かをチェックするために意図的に、側方接合領域１０に沿ってパンツ型おむつを開いた場合に、封止手段として機能することであってもよい。だが、この再封止機能は必須のものではなく、廃棄処理手段１２の主要な機能は、用品を使用した後に、簡便な廃棄処理を実現する形態で用品を固定することである。
【００４３】
図４には改変された実施形態を示すが、このものでは、継ぎ目領域１５および１６は、丸みが付与されるかあるいは角が取られた縁部の周縁に沿って孔１５ｂ,１６ｂが開けられている。この孔１５ｂ,１６ｂは、側方接合領域を形成する一つ以上の材料層において材料を低強度化するかあるいはそれに孔を開ける、強力なスポット状超音波溶着あるいは熱封止によって付与できる。この孔は、側方継ぎ目を破るための引裂き目印として機能する。
【００４４】
図４および図５に示す実施形態では、その中央部分１７の側方接合領域１０は拡幅され、かつ内側に湾曲しており、パンツ型おむつのヒップ領域には幅狭開口部が形成されている。これは、パンツ型おむつが着用者のヒップに対して、よりぴったりとフィットし、そしてパンツ型おむつが意図せずしてずり落ちるのが防止されることを意味する。側方接合領域１０の接合部分の比較的大きな表面積は、継ぎ目の単位表面積当りの接合強度が、図２および図３に示す実施形態(このものでは継ぎ目領域はかなり小さい)ほど大きなものである必要がないことを意味する。側方接合領域１０は、好ましくは、破いて開く際に剥離させることができる程度に弱いものである。だが、もちろん、通常使用時には剥離しない程度に十分丈夫であるべきである。適当な接合強度は、２ないし５Ｎ／２５ｍｍの範囲である。
【００４５】
図６には、使用後に着用者から脱がせた状態でパンツ型おむつを示すが、それは巻き上げられ、かつ廃棄処理手段１２によって、この状態で封止される。この結果、汚れた部分は廃棄処理のために内側に閉じ込められる。
【００４６】
もちろん、本発明は上述すると共に図示した実施形態に限定されるものではなく、請求項の記載の範囲内で変更可能である。もちろん、異なる実施形態の細部は、必要とあれば組み合わせることができる。たとえば、側方接合領域１０の幅広中央部１７は、もちろん、図２および図３に示す実施形態に付与することもできる。
【図面の簡単な説明】
【００４７】
【図１】複数のパンツ型おむつを形成するための複合材料ウェブの概略平面図である。
【図２】本発明の第１実施形態によるパンツ型おむつの概略斜視図である。
【図３】図２と類似の図であるが、側方接合部の一つを破って開いた状態のパンツ型おむつを示している。
【図４】改変された実施形態によるパンツ型おむつの側方接合部を示す図である。
【図５】本発明の第２実施形態によるパンツ型おむつの概略斜視図である。
【図６】図５と類似の図であるが、側方接合領域の一つを破って開いた状態のパンツ型おむつを示している。
【図７】廃棄のために巻き上げたパンツ型おむつの斜視図である。
【符号の説明】
【００４８】
１  パンツ型おむつ
２  前部領域
２ａ  側縁部
３  後部領域
３ａ  側縁部
４  股部領域
５  液体透過性表面シート
６  液体不透過性背面シート
７  吸収コア
８  ウエスト用開口部
９  脚用開口部
１０  側方接合領域
１１  弾性糸
１２  止着手段(廃棄処理手段)
１３  分離ライン
１４,１５,１６  継ぎ目領域
１５ａ,１６ａ  内側縁部
１５ｂ,１６ｂ  孔
１７  中央部分(幅広中央部)
【図１】
2008525148.tif 000003
【図２】
2008525148.tif 000004
【図３】
2008525148.tif 000005
【図４】
2008525148.tif 000006
【図５】
2008525148.tif 000007
【図６】
2008525148.tif 000008
【図７】
2008525148.tif 000009
【国際調査報告】
2008525148.tif 000010
2008525148.tif 000011
2008525148.tif 000012